(57)【要約】【課題】くさびによってＦＲＰ緊張材を損傷することなく、少ないスペースで緊張力が導入された複数のＦＲＰ緊張材を定着する。【解決手段】複数のＦＲＰ緊張材１の軸線に沿って端部の外周面に圧接される複数の把持部材２と、把持部材が圧接された複数のＦＲＰ緊張材の端部が貫通孔３ａに挿通される外管３と、把持部材と貫通孔の内周面との間に圧入されるくさび４と、を有する。複数のＦＲＰ緊張材１のそれぞれは、互いに分離した位置で複数の把持部材間に挟み込まれ、ＦＲＰ緊張材を挟み込んで束ねられた把持部材２の外周部と貫通孔の内周面との間にくさび４が圧入される。把持部材２は、くさびが圧接される範囲からＦＲＰ緊張材が伸長される方向に突き出す長さを有し、先端部が鋼プレート５で連結されている。この把持部材２の突き出した部分は、くさび４が圧接されたときにＦＲＰ緊張材１に対する圧接力が徐々に低減される。【選択図】図１
2018178493.tif 000002
【特許請求の範囲】
【請求項１】
複数のＦＲＰ緊張材の軸線に沿って該ＦＲＰ緊張材の外周面に圧接される複数の把持部材と、
内径が直線的に変化する貫通孔を備え、該貫通孔に前記ＦＲＰ緊張材の前記把持部材が圧接された端部が挿通される外管と、
前記把持部材と前記貫通孔の内周面との間に圧入されるくさびと、を有し、
複数の前記ＦＲＰ緊張材のそれぞれは、互いに分離した位置で複数の前記把持部材間に挟み込まれ、
複数の前記ＦＲＰ緊張材を挟み込んだ状態で束ねられた複数の前記把持部材の外周部と前記貫通孔の内周面との間に前記くさびが圧入されるものであることを特徴とするＦＲＰ緊張材の定着装置。
【請求項２】
前記把持部材は、前記くさびが圧接される範囲から前記ＦＲＰ緊張材が伸長される方向に突き出す長さを有し、
複数の前記把持部材のうちの少なくとも一部は、前記くさびが当接される範囲から突き出した部分が、前記くさびが圧接されることによって前記ＦＲＰ緊張材から離れる方向に緩やかに弾性的な曲げ変形を生じ、前記突き出した部分で前記ＦＲＰ緊張材に対する圧接力が低減されるものであることを特徴とする請求項１に記載のＦＲＰ緊張材の定着装置。
【請求項３】
前記把持部材は、前記ＦＲＰ緊張材が伸長される方向の端部で、互いに間隔を保持して連結されていることを特徴とする請求項２に記載のＦＲＰ緊張材の定着装置。
【請求項４】
複数の前記把持部材のうちの２つの把持部材の間に複数のＦＲＰ緊張材を挟み込むものであることを特徴とする請求項１から請求項３までのいずれかに記載のＦＲＰ緊張材の定着装置。
【請求項５】
前記把持部材は、前記外管に設けられた貫通孔の中心線上に配置される中央部材と、
前記くさびが圧接され、前記中央部材の周囲に配置された複数の前記ＦＲＰ緊張材を該中央部材との間に挟む複数の外周部材と、を有することを特徴とする請求項１から請求項４までのいずれかに記載のＦＲＰ緊張材の定着装置。
【請求項６】
前記外周部材に対して前記中央部材が、前記ＦＲＰ緊張材が伸長される方向に相対的に変位するのを拘束する拘束手段を有することを特徴とする請求項５に記載のＦＲＰ緊張材の定着装置。
【請求項７】
複数のＦＲＰ緊張材の軸線に沿って該ＦＲＰ緊張材の端部の外周面に圧接される複数の把持部材と、
内径が直線的に変化する貫通孔を備え、該貫通孔に前記把持部材が圧接されたＦＲＰ緊張材の端部が挿通される外管と、を有し、
複数の前記ＦＲＰ緊張材のそれぞれは、互いに分離した位置で複数の前記把持部材間に挟み込まれ、
複数の前記ＦＲＰ緊張材を挟み込んで束ねられた状態の複数の前記把持部材の外周部は、前記貫通孔の内径の変化に対応して、前記ＦＲＰ緊張材の端側に向かって外径が拡大するものであることを特徴とするＦＲＰ緊張材の定着装置。
【発明の詳細な説明】
【技術分野】
【０００１】
本発明は、コンクリートにプレストレスを導入するため等に用いられる緊張材の定着装置に係り、特に束ねられた多数の連続繊維を合成樹脂によって棒状に成形したＦＲＰ緊張材の定着装置に関するものである。
【背景技術】
【０００２】
ＦＲＰ緊張材は、防錆の必要がないこと、磁性を有しないこと等の理由で鋼からなる緊張材に代えて用いられることがある。一般に緊張材を定着する手段としてくさびを用いるものが広く採用されているが、ＦＲＰ緊張材を定着するときには、くさびが緊張材に強く押し付けられて繊維を損傷し、破断しやすくなる等の問題点が提起されている。
【０００３】
ＦＲＰ緊張材として太径のものを用いると、定着するためにはくさびを強く圧接する必要があり、くさびによってＦＲＰ緊張材を定着することが難しくなる。このため、複数のＦＲＰ緊張材を束ねて用いることが行われる。複数のＦＲＰ緊張材を束ねて定着する定着装置は、例えば特許文献１に記載されているように、複数のＦＲＰ緊張材のそれぞれを別個にくさびで把持し、一つの定着ブロックに係止するものとなっている。
【先行技術文献】
【特許文献】
【０００４】
【特許文献１】特開平１１−２２１０７号公報
【発明の概要】
【発明が解決しようとする課題】
【０００５】
しかし、複数のＦＲＰ緊張材を束ねて定着する従来の定着装置は、それぞれのＦＲＰ緊張材を個別にくさびで把持するために部品点数が多く、装着時の作業性が悪くなっている。また、定着装置の外形寸法が大きくなり、定着部分に大きなスペースが必要となる。
【０００６】
本発明は、上記のような事情に鑑みてなされたものであり、その目的は、ＦＲＰ緊張材を損傷することなく少ないスペースで定着することができるＦＲＰ緊張材の定着装置を提供することである。
【課題を解決するための手段】
【０００７】
上記課題を解決するために、請求項１に係る発明は、  複数のＦＲＰ緊張材の軸線に沿って該ＦＲＰ緊張材の外周面に圧接される複数の把持部材と、  内径が直線的に変化する貫通孔を備え、該貫通孔に前記ＦＲＰ緊張材の前記把持部材が圧接された端部が挿通される外管と、  前記把持部材と前記貫通孔の内周面との間に圧入されるくさびと、を有し、  複数の前記ＦＲＰ緊張材のそれぞれは、互いに分離した位置で複数の前記把持部材間に挟み込まれ、  複数の前記ＦＲＰ緊張材を挟み込んだ状態で束ねられた複数の前記把持部材の外周部と前記貫通孔の内周面との間に前記くさびが圧入されるものであるＦＲＰ緊張材の定着装置を提供する。
【０００８】
このＦＲＰ緊張材の定着装置では、複数のＦＲＰ緊張材のそれぞれが分離した位置で複数の把持部材間に挟み込まれ、外管の一つの貫通孔に挿通して定着される。つまり、複数のＦＲＰ緊張材を挟み込んで束ねた状態の把持部材の外周部と貫通孔の内周面との間に一組のくさびが押し込まれる。把持部材はくさびの作用によってそれぞれのＦＲＰ緊張材に強く押し付けられてＦＲＰ緊張材を把持し、緊張力が導入された状態で把持部材とともに定着することができる。このとき、ＦＲＰ緊張材は直接にはくさびに接触しておらず、強く押し込まれるくさびによって損傷することがない。
また、複数のＦＲＰ緊張材を束ねた状態で、一組のくさびにより定着されるので、ＦＲＰ緊張材のそれぞれを別個にくさびで定着する定着装置より小さい寸法とすることができ、小さなスペースで定着することが可能となる。
【０００９】
請求項２に係る発明は、請求項１に記載のＦＲＰ緊張材の定着装置において、  前記把持部材は、前記くさびが圧接される範囲から前記ＦＲＰ緊張材が伸長される方向に突き出す長さを有し、  複数の前記把持部材のうちの少なくとも一部は、前記くさびが当接される範囲から突き出した部分が、前記くさびが圧接されることによって前記ＦＲＰ緊張材から離れる方向に緩やかに弾性的な曲げ変形を生じ、前記突き出した部分で前記ＦＲＰ緊張材に対する圧接力が低減されるものとする。
【００１０】
この定着装置では、把持部材がくさびの作用によってＦＲＰ緊張材に強く圧接されるとともに、くさびが圧接される範囲から突き出した部分ではＦＲＰ緊張材に対する圧接力が徐々に低減する。したがって、ＦＲＰ緊張材に把持部材を押し付ける圧接力が急変するのが回避され、ＦＲＰ緊張材の繊維の破断が生じにくくなる。
【００１１】
請求項３に係る発明は、請求項２に記載のＦＲＰ緊張材の定着装置において、  前記把持部材は、前記ＦＲＰ緊張材が伸長される方向の端部で、互いに間隔を保持して連結されているものとする。
【００１２】
この定着装置では、複数の把持部材が連結されていることによって、複数のＦＲＰ緊張材に対して複数の把持部材を迅速かつ正確に装着することが可能となり、作業効率が向上する。また、ＦＲＰ緊張材が伸長する方向の端部で間隔が保持されていても該端部とくさびが圧接される範囲との間で把持部材が弾性的に変形し、くさびが圧接される範囲ではＦＲＰ緊張材に強く押し付けることができるとともに、端部に向かって圧接力が低減されるものとなる。
【００１３】
請求項４に係る発明は、請求項１から請求項３までのいずれかに記載のＦＲＰ緊張材の定着装置において、  複数の前記把持部材のうちの２つの把持部材の間に複数のＦＲＰ緊張材を挟み込むものとする。
【００１４】
この定着装置では、２つの把持部材の間に複数のＦＲＰ緊張材を挟み込むことによって把持部材の数を少なくすることができる。これにより、複数のＦＲＰ緊張材に複数の把持部材を装着して把持部材と外管との間にくさびを押し入れる作業を効率よく行うことが可能となる。
【００１５】
請求項５に係る発明は、請求項１から請求項４までのいずれかに記載のＦＲＰ緊張材の定着装置において、  前記把持部材は、前記外管に設けられた貫通孔の中心線上に配置される中央部材と、  前記くさびが圧接され、前記中央部材の周囲に配置された複数の前記ＦＲＰ緊張材を該中央部材との間に挟む複数の外周部材と、を有するものとする。
【００１６】
この定着装置では、複数のＦＲＰ緊張材と複数の把持部材とが束ねられた状態で、外周部材にはくさびから中心に向かって押し付ける力が作用する。したがって、中央部材の周囲に配置された複数のＦＲＰ緊張材は、その外側に配置された外周部材によって中央部材に押し付けられる。これにより、複数のＦＲＰ緊張材を把持部材の間に挟み込んで確実に押圧することができる。
【００１７】
請求項６に係る発明は、請求項５に記載のＦＲＰ緊張材の定着装置において、  前記外周部材に対して前記中央部材が、前記ＦＲＰ緊張材が伸長される方向に相対的に変位するのを拘束する拘束手段を有するものとする。
【００１８】
この定着装置では、くさびと中央部材とは直接に接触していないが、くさびが圧接されることによって保持される外周部材とともに、拘束手段を介して中央部材も軸線方向の変位が拘束される。したがって、ＦＲＰ緊張材に緊張力が導入されたときに、くさびの圧接によってＦＲＰ緊張材を保持すようとする力は、外周部材とＦＲＰ緊張材との接触面に作用するとともに、中央部材とＦＲＰ緊張材との接触面にも作用する。つまり、ＦＲＰ緊張材を、外周部材と中央部材との双方の接触面によって保持することができる。
【００１９】
請求項７に係る発明は、  複数のＦＲＰ緊張材の軸線に沿って該ＦＲＰ緊張材の端部の外周面に圧接される複数の把持部材と、  内径が直線的に変化する貫通孔を備え、該貫通孔に前記把持部材が圧接されたＦＲＰ緊張材の端部が挿通される外管と、を有し、  複数の前記ＦＲＰ緊張材のそれぞれは、互いに分離した位置で複数の前記把持部材間に挟み込まれ、  複数の前記ＦＲＰ緊張材を挟み込んで束ねられた状態の複数の前記把持部材の外周部は、前記貫通孔の内径の変化に対応して、前記ＦＲＰ緊張材の端側に向かって外径が拡大するものであるＦＲＰ緊張材の定着装置を提供するものである。
【００２０】
このＦＲＰ緊張材の定着装置では、複数のＦＲＰ緊張材と複数の把持部材とが束ねられた状態で、外管の一つの貫通孔に挿通される。複数のＦＲＰ緊張材を挟み込んで束ねられた状態の複数の把持部材の外周部は、ＦＲＰ緊張材の端側に向かって外径が拡大していることによって、ＦＲＰ緊張材に緊張力が導入されたときに貫通孔の内周面に圧接される。これらの把持部材はくさびとして機能し、ＦＲＰ緊張材に強く押し付けられる。これにより、ＦＲＰ緊張材が把持され、緊張力が導入された状態で定着することができる。
【発明の効果】
【００２１】
以上説明したように、本発明に係るＦＲＰ緊張材の定着装置では、くさびによってＦＲＰ緊張材を損傷することなく、少ないスペースでＦＲＰ緊張材を定着することが可能となる。
【図面の簡単な説明】
【００２２】
【図１】本発明に係るＦＲＰ緊張材の定着装置を示す概略斜視図であり、くさびを装着する前の状態を示すものである。
【図２】図１に示す定着装置で用いられる把持部材を示す概略斜視図である。
【図３】図２に示す把持部材の正面図、側面図及び背面図である。
【図４】図１に示す定着装置を用いてＦＲＰ緊張材が定着された状態を示す概略断面図及び図中に示すＡ−Ａ線における矢視図である。
【図５】本発明に係る定着装置で用いることができる把持部材の他の例を示す正面図、側面図及び背面図である。
【図６】本発明に係る定着装置で用いることができる把持部材の他の例の断面形状を示す概略図である。
【図７】本発明の他の実施形態であるＦＲＰ緊張材の定着装置を用いてＦＲＰ緊張材が定着された状態を示す概略断面図及び図中に示すＤ−Ｄ線における矢視図である。
【発明を実施するための形態】
【００２３】
以下、本発明の実施の形態を図に基づいて説明する。
図１は、本発明に係るＦＲＰ緊張材の定着装置を示す概略斜視図であり、くさびを装着する前の状態を示すものである。図２は、この定着装置で用いられる把持部材を示す概略斜視図であり、図３は同じ把持部材の正面図、側面図及び背面図である。また、図４は、この定着装置を用いてＦＲＰ緊張材が定着された状態を示す概略断面図である。
この定着装置は、４本のＦＲＰ緊張材１を束ね、一組のくさびによって定着するものであり、ＦＲＰ緊張材１を挟み込むように装着される複数の把持部材２と、把持部材２が装着されたＦＲＰ緊張材１が挿通される貫通孔３ａを備えた円筒状の外管３と、外管３に設けられた貫通孔３ａの内周面とＦＲＰ緊張材１に装着された把持部材２との間に押し入れられるくさび４とを備えている。
【００２４】
本定着装置は、３つの把持部材２ａ，２ｂ，２ｃを組み合わせて用いるものであり、互いに隣り合う把持部材間に２本ずつのＦＲＰ緊張材１を挟み込むものとなっている。これらの把持部材２ａ，２ｂ，２ｃは、４本のＦＲＰ緊張材１を挟み込んで束ねられ、２つの外周部材２ａ，２ｃが円筒曲面に沿った外周面を形成する。そして、これらの間にある中央部材２ｂが双方の外周部材２ａ，２ｃとの間にＦＲＰ緊張材１を挟み込むものとなっている。中央部材２ｂは外周部材２ａ，２ｃとの間にＦＲＰ緊張材１を挟み込んだ状態で、外管３に変位が拘束されないように、寸法が設定されている。
【００２５】
ＦＲＰ緊張材１を挟み込む把持部材２の双方の面には、内周面が円筒曲面となる溝２ｄが形成されている。これらの溝内にＦＲＰ緊張材１を嵌め入れ、双方の把持部材２を互いに押し付けることによって挟み込んだＦＲＰ緊張材１を把持するものである。また、溝２ｄの内周面は、緊張力が導入されたＦＲＰ緊張材１が滑ることなく把持することができるように、粗面に仕上げられている。
【００２６】
これらの把持部材２は、ＦＲＰ緊張材１の軸線方向にほぼ同じ長さとなっており、上記外管３及びくさび４の軸線方向の寸法より長くなっている。そして、軸線方向にほぼ等断面となっている。これらの把持部材２はＦＲＰ緊張材が伸長される方向の端面に鋼プレート５が接合され、図３に示すように所定の間隔を維持して連結されている。この鋼プレート５には、把持部材２ａ，２ｂ，２ｃの溝２ｄの断面と対応した４つの孔５ａが形成されている。そして、把持部材２ａ，２ｂ，２ｃがこの鋼プレート５で連結された状態で、互いに対向する溝内にわずかの間隙をおいて、又は接触した状態でＦＲＰ緊張材１を挿入することができるものとなっている。また、鋼プレート５は、把持部材２の他端側で対向する面の間隔が小さな抵抗で縮小できる程度に曲げ剛性が小さいものである。
なお、複数の把持部材２を連結する部材は、上記鋼プレート５に限定されるものではなく、合成樹脂、ゴム等の他の材料を使用するものであってもよい。また、複数の把持部材は連結することなく、分離した状態で使用することもできるが、連結して用いるのが望ましい。
【００２７】
このように３つが組み合わされた把持部材２ａ，２ｂ，２ｃには、図２に示すように、４本のＦＲＰ緊張材１の端部を、鋼プレート５で接合された側の端部から対向する溝内に挿入することができる。そして、図１に示すようにそれぞれのＦＲＰ緊張材１を把持部材２ａ，２ｂ，２ｃの間に挟み込むことができる。
【００２８】
上記外管３は、外周面が円筒曲面となっており、中心軸線に沿って断面が円形の貫通孔３ａが設けられている。貫通孔３ａは挿通されたＦＲＰ緊張１材の端側から該ＦＲＰ緊張材１が伸長される方向に向かって内径が直線的に縮小するものとなっている。つまり貫通孔３ａ内の空間が円錐台形状となっている。この貫通孔３ａに把持部材２ａ，２ｂ，２ｃが装着されたＦＲＰ緊張材１の端部が挿通され、緊張力が導入された状態でくさび４によって該外管３に固定されるものである。ＦＲＰ緊張材１がくさび４によって固定された外管は、支圧板（図示しない）等を介して構造部材６に緊張力を伝達することができるものである。
【００２９】
上記くさび４は、２つの半割片からなるものであり、これらは互いに対向する円筒曲面を備えている。そして、ＦＲＰ緊張材１を囲むように束ねられた把持部材２ａ，２ｂ，２ｃの両側から、上記円筒曲面の間に挟み込むようにくさび４を押し付けることができるものとなっている。この円筒曲面には押し付けられる把持部材２ａ，２ｃを強固に把持することができるように小さな凹凸が形成されている。
一方、２つの半割片が対向するように配置されたときに、これらの外側の面は円錐曲面に沿った形状になるものである。また、この円錐曲面は、上記貫通孔３ａの内周面と対応するものであり、貫通孔３ａの内側に押し入れられたときに、内周面から把持部材２に押し付ける方向の力が作用するものとなっている。
【００３０】
このような定着装置では、複数の把持部材２ａ，２ｂ，２ｃが鋼プレート５によって連結されているので、複数のＦＲＰ緊張材１を挟み込むように該把持部材２を装着することが容易となる。そして、把持部材２が装着されたＦＲＰ緊張材１の端部を外管３の貫通孔３ａに挿通し、貫通孔３ａの内周面とＦＲＰ緊張材１を挟み込むように装着された把持部材２の外周部との間にくさび４を押し入れるときに、ＦＲＰ緊張材１に接触している把持部材２と該ＦＲＰ緊張材１とは相対的に変位しないので、ＦＲＰ緊張材１の表面を傷つけることが少なく、定着部でＦＲＰ緊張材１の強度が低下するのを防ぐことができる。
【００３１】
また、把持部材２の軸線方向の長さは外管３及びくさび４より長くなっており、把持部材２と外管３との間にくさび４を押し入れたときに、把持部材２はくさび４の先端からＦＲＰ緊張材１が伸長される方向に突き出している。そして、先端は鋼プレート５によって複数の把持部材２の相互間の間隔が保持されているので、把持部材２はくさび４が押圧される範囲では強くＦＲＰ緊張材１に強く押し付けられるとともに、くさび４の先端から突き出した部分では把持部材２の弾性変形及び鋼プレート５の変形によってＦＲＰ緊張材１への圧接力が徐々に低減される。したがって、把持部材２がＦＲＰ緊張材１に押し付けられる圧接力は急変することなく徐々に変化し、圧接力の急変部でＦＲＰ緊張材１の繊維が破断するのが回避される。
【００３２】
なお、上記定着装置で用いられる把持部材２は軸線方向に等断面で、端部が鋼プレート５で連結されているが鋼プレート５の剛性は小さく、把持部材間で軸線方向の相対的な変位を生じさせようとする大きな力が作用したときに、これを拘束することはできない。つまり、外周部の把持部材（外周部材）２ａ，２ｃがくさび４によって拘束されても、くさび４が圧接されていない中央部の把持部材（中央部材）２ｂが、ＦＲＰ緊張材１とともに外管３及びくさび４から抜け出そうとするのを拘束することができない。これに対し、ＦＲＰ緊張材１がくさび４から抜け出そうとするときに、くさび４が圧接されていない中央部の把持部材２ｂと、くさびが圧接される外周部の把持部材２ａ，２ｃと、の間で軸線方向の相対的な変位を拘束する拘束手段を設けることができる。
【００３３】
図５（ａ）に示す把持部材２０は、図３に示す把持部材２に代えて用いることができるものであって、３つの把持部材２０ａ，２０ｂ，２０ｃを組み合わせて用いられる。それぞれの把持部材２０ａ，２０ｂ，２０ｃは、図３に示す把持部材２ａ，２ｂ，２ｃと同じ断面形状を有するものである。そして、先端部は鋼プレート２１によって連結されている。これらの把持部材２０では、くさびが圧接されない中央部にある把持部材２０ｂつまり中央部材が後端部に軸線と直角方向への張り出し部２０ｄを備えている。この中央部材の張り出し部２０ｄが、ＦＲＰ緊張材１の端側でくさびが圧接される外周部材２０ａ，２０ｃの後端面に突き当てられる。これにより、中央部材２０ｂがＦＲＰ緊張材１の緊張力によって伸長される側に抜け出すのを拘束するものとなっている。また、張り出し部２０ｄは、複数の把持部材２０ａ，２０ｂ，２０ｃの相互間で軸線と直角方向の相対的な変位を拘束しないので、くさび４によって把持部材２０がＦＲＰ緊張材１に押し付けられるのを阻害することはない。
【００３４】
また、図５（ｂ）に示す把持部材２２は、図３に示す把持部材２と同じ断面形状を有するもので、先端部は薄い鋼プレート５に代えて、厚い鋼プレート２３によって外周部材２２ａ，２２ｂと連結されている。この鋼プレート２３は、中央部材２２ｂがＦＲＰ緊張材１とともに抜け出そうとするのを拘束することができる程度に厚く、高い剛性を有するものである。また、鋼プレート２３で連結するのに代えて、先端の所定の長さの範囲で複数の把持部材が連続するように一体に形成されたものであってもよい。このような把持部材２２を用いたときにも、把持部材間の軸線方向における相対的な変位を先端部で拘束することができ、中央部材２２ｂがＦＲＰ緊張材１とともに抜け出そうとするのを抑えることができる。これにより、すべての把持部材２２ａ，２２ｂ，２２ｃとＦＲＰ緊張材１との接触面によってＦＲＰ緊張材１の緊張力がくさび４を介して外管３、構造部材６に伝達される。また、この把持部材２２を用いたときには、先端部で連結された把持部材間の角度変化が生じにくくなっており、くさび４によって把持部材２２をＦＲＰ緊張材１に押し付けるときの変位が阻害されない程度に、くさび４が圧接される範囲から先端部までの範囲で把持部材２２が柔軟に変形するように把持部材２２の長さ及び曲げ剛性が設定される。
【００３５】
一方、複数の把持部材の断面形状は、図３に示すものの他に、図６に示すような断面のものを採用することができる。
図６（ａ）に示す把持部材３０は、一つの中央部材３１と４つの外周部材３２ａ，３２ｂ，３２ｃ，３２ｄとを含むものである。そして、中央部材３１とそれぞれの外周部材３２との間にＦＲＰ緊張材１を挟み込んで把持するものとなっている。このような把持部材３０では、くさび４によって作用する押圧力により４本のＦＲＰ緊張材１をほぼ均等な力で保持することができる。
【００３６】
図６（ｂ）に示す把持部材４０は、一つの中央部材４１と８つの外周部材４２とを含むものである。そして、それぞれのＦＲＰ緊張材１を３つの外周部材で三方を囲むように圧接するととともに中央部材４１に押圧するものとなっている。このような把持部材４０では、外周部材４２つまりくさびが圧接される把持部材とＦＲＰ緊張材１とが接触している面積を大きくすることができ、外周部材によってＦＲＰ緊張材１を保持する力を大きくすることができる。また、中央部材４１を拘束するときには、拘束力を小さくすることができる。
【００３７】
図６（ｃ）に示す把持部材５０は、４つの把持部材５０ａ，５０ｂ，５０ｃ，５０ｄを周方向に配列し、隣り合う把持部材間にそれぞれＦＲＰ緊張材１を挟み込むものである。この把持部材５０では、すべての把持部材１にくさび４が圧接され、くさび４と接触しない中央部材を用いることなく、ＦＲＰ緊張材１を把持部材に挟み込むことができる。そして、ＦＲＰ緊張材１を挟み込むすべての把持部材５０から緊張力がくさび４に伝達されるものとなる。
【００３８】
図７は、本発明の他の実施形態であるＦＲＰ緊張材の定着装置を示す断面図である。
この定着装置は、図１から図４までに示す定着装置と同様に、４本のＦＲＰ緊張材１１を把持部材１２で挟み込むように束ねて定着するものであるが、くさびを用いておらず、把持部材１２の外周部の形状によって把持部材１２がくさびの機能を有するものとなっている。なお、外管１３は図１に示す定着装置と同様の貫通孔を有するものが用いられる。
【００３９】
本定着装置においても、３つの把持部材１２ａ，１２ｂ，１２ｃが組み合わされて、互いに隣り合う把持部材間に２本ずつのＦＲＰ緊張材１１を挟み込むものとなっている。そして、４本のＦＲＰ緊張材１１を囲むように束ねられた把持部材１２ａ，１２ｂ，１２ｃが形成する外周面は、ＦＲＰ緊張材１１が伸長される側の所定範囲１２Ａで円筒曲面に沿った形状となり、その後方側の所定範囲１２Ｂでは円錐曲面に沿った形状となっている。つまり、中央部材１２ｂの両側に配置される外周部材１２ａ，１２ｃは、ＦＲＰ緊張材１１の端側に向かって断面が拡大するものとなっており、４本のＦＲＰ緊張材１１を挟み込んで保持した状態で外周部が外管１３の貫通孔の内周面と対応する形状となる。
一方、上記外周部が円筒曲面に沿った形状となる部分１２Ａでは、把持部材１２はほぼ等断面となっており、曲げ剛性が小さく弾性的に曲げ変形を生じるものである。
【００４０】
束ねられた３つの把持部材１２ａ，１２ｂ，１２ｃは、先端部が薄い鋼プレート１５で連結され、所定の間隔が保持されている。これにより、ＦＲＰ緊張材１１を挟み込むように容易に装着することが可能となっている。
【００４１】
この定着装置では、あらかじめ４本のＦＲＰ緊張材１１の端部を外管１３の貫通孔に挿通しておき、該ＦＲＰ緊張材１１の端部に上記把持部材１２ａ，１２ｂ，１２ｃを装着する。そして、該ＦＲＰ緊張材１１が貫通孔から引き抜く方向に変位すると、束ねられた把持部材１２ａ，１２ｂ，１２ｃの外周部が貫通孔の内周面に圧接される。束ねられた把持部材１２ａ，１２ｂ，１２ｃの円錐曲面に沿った形状となる部分はくさびとして機能し、貫通孔の内周面から中心線に向かって押圧力が作用し、ＦＲＰ緊張材１１に圧接される。これによって４本のＦＲＰ緊張１１材を保持し、緊張力が外管３を介して構造部材１６に定着される。
また、外周部が円筒曲面に沿った形状となる部分は、把持部材１２が貫通孔の内周面に圧接されたときに貫通孔から突き出し、弾性的に緩やかな曲げ変形を生じてＦＲＰ緊張材１１との圧接力が徐々に低減される。
このようにＦＲＰ緊張材１１を把持して定着することにより、装着時にＦＲＰ緊張材１１を傷つけること、及び圧接力の急変部で繊維が破断することの防止が可能となるものである。
【００４２】
以上に説明した実施の形態では、４本のＦＲＰ緊張材を定着するものとなっているが、定着する本数は４本に限定されるものではない。また、把持部材の断面形状、把持部材の数は、図３又は図６に示されるものに限定されず、ＦＲＰ緊張材を挟み込んで把持することができる様々な形状のものを採用することができる。また、くさび、外管の形状についても様々な態様とすることができる。
ＦＲＰ緊張材は、アラミド繊維を用いるもの、炭素繊維を用いるもの、ガラス繊維を用いるもの、鉱物繊維を用いるもの等があり、いずれについても本発明の定着装置は適用することができるものである。
また、その他の事項に関しても、本発明は以上に説明した実施の形態に限定されるものではなく、本発明の範囲内で適宜に変更して実施することができる。
【符号の説明】
【００４３】
１：ＦＲＰ緊張材，  ２：把持部材，  ２ａ，２ｃ：外周部材，  ２ｂ：中央部材，  ２ｄ：把持部材に形成された溝，  ３：外管，  ３ａ：外管の貫通孔，  ４：くさび，  ５：鋼プレート，  ６：構造部材，
１１：ＦＲＰ緊張材，  １２：把持部材，  １２ａ，１２ｃ：外周部材，  １２ｂ：中央部材，  １２Ａ：束ねられた把持部材の外周部が円筒曲面に沿った形状となる部分，  １２Ｂ：束ねられた把持部材の外周部が円錐曲面に沿った形状となる部分，  １３：外管，  １５：鋼プレート，  １６：構造部材，
２０：把持部材，  ２０ａ，２０ｃ：外周部材，  ２０ｂ：中央部材，  ２０ｄ：張り出し部，  ２１：鋼プレート，  ２２：把持部材，  ２２ａ，２２ｃ：外周部材，  ２２ｂ：中央部材，  ２３：厚い鋼プレート，
３０：把持部材，  ３１：中央部材，  ３２：外周部材，
４０：把持部材，  ４１：中央部材，  ４２：外周部材，
５０：把持部材
【図１】
2018178493.tif 000003
【図２】
2018178493.tif 000004
【図３】
2018178493.tif 000005
【図４】
2018178493.tif 000006
【図５】
2018178493.tif 000007
【図６】
2018178493.tif 000008
【図７】
2018178493.tif 000009